(57)【要約】【課題】セットされたメディアと同じコンテンツの次世代メディアが発売されている場合、そのことを通知してユーザに知らせる発売情報通知システム及び光ディスク装置を提供する。【解決手段】制御部２１は、ＤＶＤ１００のタイトル名をＤＶＤ１００のコンテンツデータからＰＵヘッド２２に読取らせる。制御部２１は、読取ったＤＶＤ１００のタイトル名をＤＢサーバ４に送信する。制御部４１は、受信したＤＶＤ１００のタイトル名と同じタイトル名のブルーレイディスクが、ハードディスク４２の発売中のタイトル名の一覧の中にあるかどうかを検索する。そして、制御部４１は、その検索結果をブルーレイプレーヤ２に返信する。受信した検索結果に基づいて、制御部２１は、装置本体２にセットされているＤＶＤ１００のタイトル名と同じタイトル名のブルーレイディスクが既に発売されているかどうかをＴＶ３で表示する。【選択図】  図１
2009048716.tif 000002
【特許請求の範囲】
【請求項１】
第１のコンテンツデータが予め記録されている第１の光ディスクがセットされる光ディスク装置と、
ネットワークを介して前記光ディスク装置と接続されるサーバと、を備えた発売情報通知システムにおいて、
前記光ディスク装置は、前記第１の光ディスクのタイトル名を前記第１のコンテンツデータから読取り、前記ネットワークを介して前記サーバに送信する通信手段を有し、
前記サーバは、
前記第１の光ディスクより大容量の第２の光ディスクであって前記第１のコンテンツデータより高精細な第２のコンテンツデータが予め記録される再生専用型の第２の光ディスクについて、発売中の前記第２の光ディスクのタイトル名の一覧を予め記憶する記憶手段と、
前記通信手段から送信された前記第１の光ディスクのタイトル名と同じタイトル名の前記第２の光ディスクが、前記記憶手段の前記発売中のタイトル名の一覧の中にあるかどうかを検索し、その検索結果を前記ネットワークを介して前記光ディスク装置に返信する検索手段と、を有し、
前記光ディスク装置は、前記通信手段が前記検索結果を受信すると、前記検索結果に応じて、前記第１の光ディスクのタイトル名と同じタイトル名の前記第２の光ディスクが発売されているかどうかを表示する表示手段を有する、発売情報通知システム。
【請求項２】
前記記憶手段は、前記第２の光ディスクについて、発売予定の前記第２の光ディスクのタイトル名の一覧とそれぞれの発売予定日とを対応付けて予め記憶し、
前記検索手段は、前記通信手段から送信された前記第１の光ディスクのタイトル名と同じタイトル名の前記第２の光ディスクが、前記記憶手段の前記発売予定のタイトル名の一覧の中にあるかどうかを検索し、その一覧の中にある場合は発売予定日も検索し、その検索結果を前記ネットワークを介して前記光ディスク装置に返信し、
前記表示手段は、
前記通信手段が前記検索結果を受信すると、前記検索結果に応じて、前記第１の光ディスクのタイトル名と同じタイトル名の前記第２の光ディスクが発売予定であるかどうかを表示し、
発売予定である場合、さらに、その発売予定日も表示する請求項１に記載の発売情報通知システム。
【請求項３】
前記通信手段は、前記第１の光ディスクのタイトル名と同じタイトル名の前記第２の光ディスクが発売予定でない場合、一定時間経過後に、その第１の光ディスクのタイトル名を前記ネットワークを介して前記サーバに再び送信する請求項２に記載の発売情報通知システム。
【請求項４】
前記光ディスク装置は、前記一定時間の指定を受付ける受付手段を備える請求項１から３のいずれかに記載の発売情報通知システム。
【請求項５】
前記第１の光ディスクは、ＤＶＤであり、
前記第２の光ディスクは、ブルーレイディスク又はＨＤＤＶＤである請求項１から４のいずれかに記載の発売情報通知システム。
【請求項６】
第１のコンテンツデータが予め記録されている第１の光ディスクがセットされる光ディスク装置において、
前記第１の光ディスクのタイトル名を前記第１のコンテンツデータから読取り、予め定められたサーバにネットワークを介して送信する通信手段を備え、
前記通信手段は、前記第１の光ディスクより大容量の第２の光ディスクであって前記第１のコンテンツデータより高精細な第２のコンテンツデータが予め記録される再生専用型の第２の光ディスクについて、前記通信手段が送信した前記第１の光ディスクのタイトル名と同じタイトル名の前記第２の光ディスクが発売中であるかどうかの検索結果を前記サーバから受信し、
前記通信手段が受信した前記検索結果に応じて、前記第１の光ディスクのタイトル名と同じタイトル名の前記第２の光ディスクが発売されているかどうかを表示する表示手段を備える光ディスク装置。
【発明の詳細な説明】
【技術分野】
【０００１】
本発明は、コンテンツが録画されている光ディスクがセットされる光ディスク装置と、ネットワークを介して光ディスク装置と通信するサーバと、を備える発売情報通知システム、及びこのシステムで適用される光ディスク装置に関するものである。
【背景技術】
【０００２】
従来から、ＳＤ（Standard Definition）画像を再生できるメディアとしてＤＶＤ（Digital Versatile Disk）が一般に広く普及している。
さらに、近年、ＳＤ画像よりも高解像度であるＨＤ（High Definition）画像を再生できる次世代メディアとしてブルーレイディスク（Blue−Ray Disc）やＨＤＤＶＤ（High Definition DVD）が普及し始めている。大容量化が可能であるブルーレイディスクやＨＤＤＶＤにより、ユーザは高精細な画像であるＨＤ画像を楽しむことができる。
【０００３】
そのため、既に所持しているＤＶＤと同じコンテンツをＨＤ画像で鑑賞したい場合、ユーザは、同じコンテンツが記録されているブルーレイディスクやＨＤＤＶＤを新たに購入し、ＨＤ画像を鑑賞する。
一方、特許文献１では、広告表示処理方法およびその装置が提案されている。
【特許文献１】特開２００７−１０４３１３公報
【発明の開示】
【発明が解決しようとする課題】
【０００４】
しかしながら、既に所持しているＤＶＤと同じコンテンツのＨＤ画像が記録されたブルーレイディスクやＨＤＤＶＤが発売されているかどうかについて、ユーザが知ることは難しい。そのため、該ブルーレイディスクや該ＨＤＤＶＤが既に発売されているにも係わらず、ユーザは、そのことを知らずに、所持しているDVDのSD画像を鑑賞し続けることが多かった。この分、そのＤＶＤと同じコンテンツのブルーレイディスクやＨＤＤＶＤが購入されないことになっていた。このことは、次世代メディアへの移行を遅らせることに繋がる。
また、該ブルーレイディスクや該ＨＤＤＶＤが既に発売されているかどうかについて知りたい場合、ユーザは、それについてインターネットや雑誌等により調べなければならなかった。しかし、それについて自分で調べるには非常に手間がかかる。従って、従来例では、ユーザの使い勝手が悪かった。
【０００５】
以上の問題は、ブルーレイディスクやＨＤＤＶＤの次世代メディアが将来登場した時にも再び起こり得る問題である。
【０００６】
本発明はこのような従来の課題を解決しようとするものであり、セットされたメディアと同じコンテンツの次世代メディアが発売されている場合、そのことを通知してユーザに知らせる発売情報通知システム及び光ディスク装置を提供することを目的とする。
【課題を解決するための手段】
【０００７】
本発明の発売情報通知システムは、前記課題を解決するために以下の構成を備えている。
【０００８】
（１）第１のコンテンツデータが予め記録されている第１の光ディスクがセットされる光ディスク装置と、
ネットワークを介して前記光ディスク装置と接続されるサーバと、を備えた発売情報通知システムにおいて、
前記光ディスク装置は、前記第１の光ディスクのタイトル名を前記第１のコンテンツデータから読取り、前記ネットワークを介して前記サーバに送信する通信手段を有し、
前記サーバは、
前記第１の光ディスクより大容量の第２の光ディスクであって前記第１のコンテンツデータより高精細な第２のコンテンツデータが予め記録される再生専用型の第２の光ディスクについて、発売中の前記第２の光ディスクのタイトル名の一覧を予め記憶する記憶手段と、
前記通信手段から送信された前記第１の光ディスクのタイトル名と同じタイトル名の前記第２の光ディスクが、前記記憶手段の前記発売中のタイトル名の一覧の中にあるかどうかを検索し、その検索結果を前記ネットワークを介して前記光ディスク装置に返信する検索手段と、を有し、
前記光ディスク装置は、前記通信手段が前記検索結果を受信すると、前記検索結果に応じて、前記第１の光ディスクのタイトル名と同じタイトル名の前記第２の光ディスクが発売されているかどうかを表示する表示手段を有する。
【０００９】
この構成において、第２の光ディスクが次世代メディアに相当する。両コンテンツデータは、映画等のコンテンツを示すデータである。第１のコンテンツデータは、ＳＤ画像と音声を含むＳＤコンテンツを示すデータである。第２のコンテンツデータは、ＨＤ画像と音声を含むＨＤコンテンツを示すデータである。そして、両光ディスクのタイトル名は、映画等のタイトル名である。また、記憶手段の記憶内容、即ち、発売中の第２の光ディスクのタイトル名の一覧は、例えば一週間毎に最新の情報に更新する。
【００１０】
この構成において、例えばユーザが第１の光ディスクをセットすると、通信手段が、第１の光ディスクのタイトル名をサーバに送信する。第１の光ディスクのタイトル名が受信されると、サーバの検索手段は、第１の光ディスクのタイトル名と同じタイトル名の第２の光ディスクが、発売中のタイトル名の一覧の中にあるかどうかについて、記憶手段を検索する。その後、検索手段は、検索結果を通信手段に返信する。
そして、第１の光ディスクと同一タイトルの第２の光ディスクが発売されている場合、表示手段は、その旨を示す発売メッセージの表示を行う。この発売メッセージの通知により、ユーザは、同一タイトルの第２の光ディスクが発売されていることを知る。
そのため、ユーザは、同一タイトルの第２の光ディスクが発売されているかどうかについて知りたい場合、所持している第１の光ディスクを光ディスク装置にセットするだけで良く、インターネットや雑誌等により調べなくとも済む。従って、ユーザの使い勝手を向上できる。
また、上記発売メッセージの通知により、既に所持している第１の光ディスクと同じコンテンツをＨＤ画像で鑑賞したいとユーザに想起させることもできる。よって、同一タイトルの第２の光ディスクに対するユーザの購買意欲を高めることもできる。従って、次世代メディアへの移行を促進することもできる。
【００１１】
（２）前記記憶手段は、前記第２の光ディスクについて、発売予定の前記第２の光ディスクのタイトル名の一覧とそれぞれの発売予定日とを対応付けて予め記憶し、
前記検索手段は、前記通信手段から送信された前記第１の光ディスクのタイトル名と同じタイトル名の前記第２の光ディスクが、前記記憶手段の前記発売予定のタイトル名の一覧の中にあるかどうかを検索し、その一覧の中にある場合は発売予定日も検索し、その検索結果を前記ネットワークを介して前記光ディスク装置に返信し、
前記表示手段は、
前記通信手段が前記検索結果を受信すると、前記検索結果に応じて、前記第１の光ディスクのタイトル名と同じタイトル名の前記第２の光ディスクが発売予定であるかどうかを表示し、
発売予定である場合、さらに、その発売予定日も表示する。
【００１２】
この構成において、記憶手段の記憶内容、即ち、発売予定の第２の光ディスクのタイトル名の一覧は、例えば一週間毎に最新の情報に更新する。
この構成では、第１の光ディスクのタイトル名と同じタイトル名の第２の光ディスクが未だ発売されていないが、その発売が予定されている場合を想定している。この場合、上記（１）では、同一タイトル名の第２の光ディスクは検索されない。
この構成においては、この場合、検索手段は、第１の光ディスクのタイトル名と同じタイトル名の第２の光ディスクが、発売予定のタイトル名の一覧の中にあるかどうかについて、記憶手段をさらに検索する。そして、第１の光ディスクと同一タイトルの第２の光ディスクが発売予定である場合、表示手段は、その旨を示す発売予定メッセージと、その発売予定日と、を表示する。この発売予定メッセージの通知により、ユーザは、同一タイトルの第２の光ディスクが発売予定であることを知る。
そのため、ユーザは、同一タイトルの第２の光ディスクが発売されているかどうか、又は発売予定であるかどうか、について知りたい場合、所持している第１の光ディスクを光ディスク装置にセットするだけで良く、インターネットや雑誌等により調べなくとも済む。従って、ユーザの使い勝手を一層向上できる。
また、上記発売予定メッセージの通知により、既に所持している第１の光ディスクと同じコンテンツをＨＤ画像で鑑賞したいとユーザに想起させることもできる。よって、同一タイトルの第２の光ディスクに対するユーザの購買意欲を一層高めることもできる。従って、次世代メディアへの移行を一層促進することもできる。
【００１３】
（３）前記通信手段は、前記第１の光ディスクのタイトル名と同じタイトル名の前記第２の光ディスクが発売予定でない場合、一定時間経過後、その第１の光ディスクのタイトル名を前記ネットワークを介して前記サーバに再び送信する。
【００１４】
ここで、同一タイトルの第２の光ディスクが現時点で発売予定でない場合でも、後日発売されることもある。
そこで、この構成においては、この場合にユーザに通知できるよう、一定時間経過後に、通信手段が、第１の光ディスクのタイトル名をサーバに送信する。
そして、一定時間経過後に、第１の光ディスクと同一タイトルの第２の光ディスクが発売されている場合、表示手段は、発売メッセージの表示を行う。一方、一定時間経過後に、第１の光ディスクと同一タイトルの第２の光ディスクが発売予定である場合、表示手段は、発売予定メッセージの表示を行う。
そして、この発売メッセージの通知により、ユーザは、同一タイトルの第２の光ディスクが発売中であることを知る。又は、この発売予定メッセージの通知により、ユーザは、同一タイトルの第２の光ディスクが発売予定であることを知る。
このように、同一タイトルの第２の光ディスクが現時点で発売予定でない場合であって後日発売される場合でも、同一タイトルの第２の光ディスクが発売されているかどうか、又は発売予定であるかどうか、についてユーザは知ることできる。そのため、ユーザは、インターネットや雑誌等により調べなくとも済む。従って、ユーザの使い勝手を一層向上できる。
また、上記発売メッセージ又は上記発売予定メッセージの通知により、既に所持している第１の光ディスクと同じコンテンツをＨＤ画像で鑑賞したいとユーザに想起させることもできる。よって、同一タイトルの第２の光ディスクに対するユーザの購買意欲を一層高めることもできる。従って、次世代メディアへの移行を一層促進することもできる。
【００１５】
（４）前記光ディスク装置は、前記一定時間の指定を受付ける受付手段を備える。
【００１６】
この構成により、ユーザは、同一タイトルの第２の光ディスクが発売されているかどうか、又は発売予定であるかどうか、について光ディスク装置に調べさせるタイミングを、自分の使用方法に応じて指定できる。従って、ユーザの使い勝手を一層向上できる。また、次世代メディアへの移行を一層促進することもできる。
【００１７】
（５）前記第１の光ディスクは、ＤＶＤであり、
前記第２の光ディスクは、ブルーレイディスク又はＨＤＤＶＤである。
【００１８】
また、本発明の光ディスク装置は、前記課題を解決するために以下の構成を備えている。
【００１９】
（６）第１のコンテンツデータが予め記録されている第１の光ディスクがセットされる光ディスク装置において、
前記第１の光ディスクのタイトル名を前記第１のコンテンツデータから読取り、予め定められたサーバにネットワークを介して送信する通信手段を備え、
前記通信手段は、前記第１の光ディスクより大容量の第２の光ディスクであって前記第１のコンテンツデータより高精細な第２のコンテンツデータが予め記録される再生専用型の第２の光ディスクについて、前記通信手段が送信した前記第１の光ディスクのタイトル名と同じタイトル名の前記第２の光ディスクが発売中であるかどうかの検索結果を前記サーバから受信し、
前記通信手段が受信した前記検索結果に応じて、前記第１の光ディスクのタイトル名と同じタイトル名の前記第２の光ディスクが発売されているかどうかを表示する表示手段を備える。
【００２０】
この構成における光ディスク装置は、上記（１）の発売情報通知システムに用いられる。
これにより、上記（１）と同様の効果を奏する。
【発明の効果】
【００２１】
この発明によれば、ユーザの使い勝手を向上できる。また、同一タイトルのブルーレイディスクに対するユーザの購買意欲を高めることもできる。
【発明を実施するための最良の形態】
【００２２】
以下、本発明の実施形態である発売情報通知システムについて説明する。
【００２３】
図１は、本発明の実施形態である発売情報通知システムのシステム構成図である。発売情報通知システム１０１は、DVD１００がセットされるブルーレイプレーヤ２と、インタフェースを介してブルーレイプレーヤ２と接続されるテレビジョン（以下、「TV」と称する）３と、ネットワーク５を介してブルーレイプレーヤ２と接続されるデータベース（以下、「DB」と称する）サーバ４と、を備える。
なお、ブルーレイプレーヤ２及びTV３は、各ユーザの家で使用される。DBサーバ４は、ネットワーク５上に設けられたサーバである。つまり、DBサーバ４が１台に対し、ブルーレイプレーヤ２を含む複数台のブルーレイプレーヤがネットワーク５を介して接続されている。
【００２４】
DVD１００は、ＤＶＤ（Digital  Versatile  Disk）規格に準拠して製造されたＤＶＤ−ROMである。DVD１００は、ユーザが過去に購入して所持しているディスクとする。また、DVD１００には、映画等のＳＤ画像のコンテンツデータがＤＶＤ−ＶＩＤＥＯフォーマットで予め記録されているものとする。
【００２５】
ブルーレイプレーヤ２は、ブルーレイディスクの他、DVD１００を再生する。ブルーレイプレーヤ２は、DVD１００からコンテンツデータを読み取り、インタフェースを介してTV３に出力する。これにより、ブルーレイプレーヤ２は、ＳＤ画像のコンテンツをTV３で再生する。
また、ネットワーク５は、例えばインターネットである。
【００２６】
図２は、発売情報通知システムに用いられるブルーレイプレーヤの主要な構成を示すブロック図である。ブルーレイプレーヤ２は、装置本体２の各部の動作を制御する制御部２１と、光ディスクに対しデータの読取を行うピックアップヘッド２２（以下、PUヘッド２２と称する。）と、RFアンプなどの再生回路２３と、ユーザの操作を受け付ける操作部２７と、装置本体２を遠隔操作するリモコン２７Aと、ルータ（不図示）を介してネットワーク５に接続されているＮＩＣ（Network Interface Card）２０と、を備えている。さらに、ブルーレイプレーヤ２は、情報を表示する表示部２８と、データを記憶する記憶部２９と、音声データをアナログの再生音声信号に変換する音声処理部２４と、画像データをアナログの再生画像信号に変換すると、ＯＳＤ画像を生成するOSD処理部２５と、合成画像を生成する画像合成部２６と、を備えている。
【００２７】
PUヘッド２２は、図示しないレーザダイオード（ＬＤ）、コリメータレンズ、ビームスプリッタ、対物レンズ、フォトディテクタ、スレッドモータ、及びアクチュエータを備えている。
【００２８】
再生時の動作について説明する。
PUヘッド２２は、DVD１００又はブルーレイディスク（不図示）に対してレーザ光を照射し、DVD１００又はブルーレイディスクからの反射光をフォトディテクタで検出する。これにより、PUヘッド２２は、DVD１００又はブルーレイディスクに記録されているデータを光学的に読み出す。
【００２９】
再生回路２３は、PUヘッド２２における複数の受光素子の出力に基づいてＲＦ信号を生成し、該ＲＦ信号を増幅する。そして、再生回路２３は、該ＲＦ信号を処理して画像と音声のデータを取り出す。ここで、取り出される画像と音声のデータは、例えばＭＰＥＧでエンコードされている。そして、再生回路２３は、これらのデータをデコードする。そして、再生回路２３は、音声データを音声処理部２４に、画像データを画像合成部２６に、これらのデータの同期を取りながら、それぞれ出力する。
【００３０】
音声処理部２４は、音声データをアナログの再生音声信号に変換し、その再生音声信号を外部のＴＶ３に出力する。
なお、ＴＶ３がディジタル対応（例えばＨＤＭＩ規格）であれば、ディジタルで出力しても構わない。
【００３１】
OSD処理部２５は、不図示のＯＳＤ画像メモリ（不図示）を内蔵する。ＯＳＤ画像メモリは、例えばフラッシュメモリで構成される。OSD処理部２５は、制御部２１から与えられる制御信号に基づいて、ＯＳＤ画像メモリが記憶しているデータに基づいて文字又は図形のＯＳＤ画像を生成し、画像合成部２６へ出力する。
【００３２】
画像合成部２６は、制御部２１から与えられる制御信号に基づいて、再生回路２３から出力された画像データに基づく画像に、OSD処理部２５から出力されたＯＳＤ画像を合成した合成画像を生成する。
【００３３】
そして、画像合成部２６は、この合成画像の信号をアナログの再生画像信号に変換し、外部のＴＶ３に出力する。又は、画像合成部２６は、再生回路２３から出力された画像データをアナログの再生画像信号に変換し、外部のＴＶ３に出力する。又は、画像合成部２６は、OSD処理部２５から出力されたＯＳＤ画像のデータをアナログの再生画像信号に変換し、外部のＴＶ３に出力する。ここで、これら３パターンの動作は、制御部２１によって切替えられる。
なお、ＴＶ３がディジタル対応（例えばＨＤＭＩ規格）であれば、ディジタルで出力しても構わない。
【００３４】
音声処理部２４及び画像合成部２６には、インタフェースを介してＴＶ３が接続される。ＴＶ３は、ブルーレイプレーヤ２から出力された信号を処理して、画像を画面上に表示したり音声を出力したりする。
【００３５】
ユーザは、このＴＶ３において、音声処理部２４及び画像合成部２６から出力された再生画像信号に基づく画像、及び再生音声信号に基づく音声を視聴することができる。これにより、ユーザは、ＤＶＤ１００に録画されているＳＤ画像のコンテンツを鑑賞する。又は、ユーザは、ブルーレイディスク（不図示）に録画されているＨＤ画像のコンテンツを鑑賞する。
【００３６】
操作部２７は、ユーザがブルーレイプレーヤ２に対して各種の命令（コマンド）を入力するためのものである。操作部２７には、ユーザの操作を受け付ける複数のキーが設けられている。ブルーレイプレーヤ２に対してユーザが入力したコマンドは制御部２１に伝送される。
複数のキーの中には、DVD１００又はブルーレイディスクの再生を指示するための再生キー、一定時間の指定を受付ける指定キー、が含まれる。ここで、一定時間の詳細については、後述する。
【００３７】
操作部２７には、リモコン信号検出部（不図示）が設けられている。リモコン信号検出部に対し、装置本体の外部からリモコン２７Aを用いて、電源のON／OFF、再生指示等の命令が入力されると、リモコン信号検出部は、リモコン２７Aからの命令信号を受信して制御部２１に伝送する。リモコン２７Aには、操作部２７と同様のキーが設けられている。
【００３８】
表示部２８は、現在時刻、ブルーレイプレーヤ２の設定状態、所定のメッセージなどを表示する。
【００３９】
記憶部２９は、例えばＥＥＰＲＯＭで構成されている。記憶部２９は、装置本体２の各部の制御方法が記述された制御プログラムを記憶する。さらに、記憶部２９は、DBサーバ４のURLを記憶する。このURLは、ネットワーク５上のアドレスを示す情報である。
【００４０】
制御部２１は、例えばマイクロコンピュータで構成される。また、制御部２１は、上記の制御プログラムなどを展開するワークフィールドとしてのＲＡＭ（不図示）と、現在時刻の計時と時間の計測とを行うタイマー回路（不図示）と、を内蔵する。制御部２１は、ブルーレイプレーヤ２にユーザから入力された命令に応じてブルーレイプレーヤ２の各部の動作を制御する。
【００４１】
なお、表示部２８又はＴＶ３が、本発明の「表示手段」に相当する。また、制御部２１及びＮＩＣ２０が、本発明の「通信手段」に相当する。また、操作部２７及びリモコン２７Aが、本発明の「受付手段」に相当する。
また、この実施形態では、表示手段としてＴＶ３を用いているが、実施の際は、モニタでも構わない。
【００４２】
図３は、発売情報通知システムに用いられるＤＢサーバの主要な構成を示すブロック図である。DBサーバ２は、ルータ（不図示）を介してネットワーク５と接続されているNIC（Network Interface Card）４０と、DBサーバ２の各部の動作を制御する制御部４１と、DBサーバ２の各部の制御方法が記述された制御プログラムを記憶するハードディスク４２と、を備える。
【００４３】
制御部４１は、例えばMPUである。さらに、制御部４１は、上記制御プログラムを展開するためのワークフィールドとしてのRAM（不図示）を内臓する。
なお、制御部４１が、本発明の「検索手段」に相当する。また、ハードディスク４２が、本発明の「記憶手段」に相当する。
【００４４】
図４は、ハードディスク４２に記憶されている発売情報テーブル４２Ａの内容を示す図である。ハードディスク４２は、さらに、現在発売中のブルーレイディスクのタイトル名の一覧が記述された発売情報テーブル４２Ａを予め記憶する。この発売情報テーブル４２Ａの内容は、例えば一週間毎に最新の情報に更新する。そのため、この一覧のタイトル名の数は、ブルーレイディスクが発売される都度増えていく。
【００４５】
図５は、本発明の実施形態である発売情報通知システムにおける、ブルーレイプレーヤ２とＤＢサーバ４における各制御部の動作を示すフローチャートである。
【００４６】
ユーザがＤＶＤ１００をブルーレイプレーヤ２にセットすると（Ｓ１）、ブルーレイプレーヤ２の制御部２１は、ＤＶＤ１００のタイトル名をＤＶＤ１００のコンテンツデータからＰＵヘッド２２に読取らせる（Ｓ２）。このタイトル名は、例えば映画のタイトル名である。そして、このタイトル名は、ＤＶＤ１００の制御情報（例えばＮＡＶＩ情報）に、映画の配給元とともに予め記載されている。また、ＤＶＤ１００のコンテンツデータは、ＳＤ画像および音声のコンテンツを含むデータである。
なお、読取られたＤＶＤ１００のタイトル名は、再生回路２３を介して制御部２１に入力される。
【００４７】
そして、制御部２１は、読取ったＤＶＤ１００のタイトル名をＮＩＣ２０からＤＢサーバ４に送信する（Ｓ３）。これにより、ＤＢサーバ４は、ネットワーク５を介して伝送されてきたＤＶＤ１００のタイトル名をＮＩＣ４０で受信する。
ここで、Ｓ３について詳述すると、DBサーバ４のＵＲＬ（Uniform Resource Locator）は、記憶部２９に予め記憶させておく。さらに、ブルーレイプレーヤ２に割り振られたＩＰアドレスも記憶部２９に予め記憶させておく。そのため、制御部２１は、このＵＲＬを宛て先として、ＤＶＤ１００のタイトル名を、そのＩＰアドレスとともにＤＢサーバ４に送信する。
なお、ＩＰアドレスとは、ネットーワーク５上でブルーレイプレーヤ２を識別する識別番号である。ＩＰアドレスは、ネットーワーク５上におけるブルーレイプレーヤ２の所在を示す情報である。
【００４８】
ＤＢサーバ４の制御部４１は、ＮＩＣ４０で受信したＤＶＤ１００のタイトル名と同じタイトル名のブルーレイディスクが、ハードディスク４２の発売中のタイトル名の一覧の中にあるかどうかを検索する（Ｓ１１）。例えば図４では、ＤＶＤ１００のタイトル名が「野鳥物語１」であれば、発売情報テーブル４２Ａの一覧の中にあるので、制御部４１は、同一タイトル名のブルーレイディスクを発見できる。逆に、ＤＶＤ１００のタイトル名が「野鳥物語３」であれば、発売情報テーブル４２Ａの一覧の中に無いので、制御部４１は、同一タイトル名のブルーレイディスクを発見できない。この場合、検索結果は、発見できなかったという結果になる。
【００４９】
そして、制御部４１は、Ｓ１１の検索結果をＮＩＣ４０からブルーレイプレーヤ２に返信する（Ｓ１２）。これにより、ブルーレイプレーヤ２は、ネットワーク５を介して伝送されてきたＳ１１の検索結果をＮＩＣ２０で受信する。
なお、Ｓ１２について詳述すると、制御部４１は、ブルーレイプレーヤ２のＩＰアドレスを宛て先として、Ｓ１１の検索結果をブルーレイプレーヤ２に返信する。
【００５０】
ブルーレイプレーヤ２の制御部２１は、ＮＩＣ２０が検索結果を受信すると、その検索結果から、装置本体２にセットされているＤＶＤ１００のタイトル名と同じタイトル名のブルーレイディスクが発売されているかどうかを判断する（Ｓ４）。発売されていなければ、制御部２１は、本処理を終了する。
【００５１】
一方、発売されていれば、制御部２１は、装置本体２にセットされているＤＶＤ１００のタイトル名と同じタイトル名のブルーレイディスクが既に発売されている旨の発売メッセージをＴＶ３又は表示部２８で表示する（Ｓ５）。そして、制御部２１は、本処理を終了する。この発売メッセージは、例えば「同一タイトルのブルーレイディスクが発売されています。現在セットされているＤＶＤよりも高解像度のコンテンツを鑑賞することができます。」である。この発売メッセージの通知により、ユーザは、同一タイトルのブルーレイディスクが発売されていることを知る。
【００５２】
そのため、ユーザは、同一タイトルのブルーレイディスクが発売されているかどうかについて知りたい場合、所持しているＤＶＤ１００をブルーレイプレーヤ２にセットするだけで良く、インターネットや雑誌等により調べなくとも済む。従って、ユーザの使い勝手を向上できる。
また、上記発売メッセージの通知により、既に所持しているＤＶＤ１００と同じコンテンツをＨＤ画像で鑑賞したいとユーザに想起させることもできる。よって、同一タイトルのブルーレイディスクに対するユーザの購買意欲を高めることもできる。従って、次世代メディアへの移行を促進することもできる。
【００５３】
ここで、Ｓ４及びＳ５では、ＴＶ３又は表示部２８が、検索結果に応じて、装置本体２にセットされているＤＶＤ１００のタイトル名と同じタイトル名のブルーレイディスクが発売されているかどうかを表示している。また、ＴＶ３で表示するメッセージは、上述のＯＳＤによって表示される。
【００５４】
なお、この実施形態では、ＤＶＤ１００がセットされた時にタイトル名を読取ってＳ３で送信しているが、実施の際は、この時に限定する必要はない。例えば、再生されたＤＶＤのタイトル名を記憶部２９に記憶し、次回にブルーレイプレーヤ２の電源がオンされた時に記憶部２９からそのタイトル名を読取って、Ｓ３で送信しても構わない。
【００５５】
また、本発明の実施形態は、以下の変形例を採用することができる。
【００５６】
（第１変形例）
この変形例では、ＤＶＤ１００のタイトル名と同じタイトル名のブルーレイディスクが未だ発売されていないが、その発売が予定されている場合を想定している。この場合についても、発売予定テーブル４２Ｂを利用することでユーザに通知する。具体的には、以下のように構成している。
【００５７】
図６は、ハードディスク４２に記憶されている発売予定テーブル４２Ｂの内容を示す図である。ハードディスク４２に、さらに、現在発売予定のブルーレイディスクのタイトル名の一覧が記述された発売予定テーブル４２Ｂを予め記憶させても良い。この発売予定テーブル４２Ｂの内容も、例えば一週間毎に最新の情報に更新する。そのため、この一覧のタイトル名の数は、ブルーレイディスクの発売予定が発表される都度増えていく。
【００５８】
図７は、本発明の実施形態の変形例である発売情報通知システムにおける、ブルーレイプレーヤ２とＤＢサーバ４における各制御部の動作を示すフローチャートである。この動作は、図５のＳ１１とＳ１２の間にＳ２１及びＳ２２を追加するとともに、Ｓ４判断否定の後にＳ６及びＳ７を追加した動作であり、その他の処理については同じである。
【００５９】
Ｓ１１において検索した結果、ＤＶＤ１００のタイトル名と同じタイトル名のブルーレイディスクが、ハードディスク４２の発売中のタイトル名の一覧の中になければ（Ｓ２１）、ＤＢサーバ４の制御部４１は、以下の動作を実行する。
【００６０】
制御部４１は、ＤＶＤ１００のタイトル名と同じタイトル名のブルーレイディスクが、発売予定テーブル４２Ｂの発売予定のタイトル名の一覧の中にあるかどうかを検索し、その一覧にある場合は発売予定日も検索する（Ｓ２２）。例えばブルーレイプレーヤ２から送信されたＤＶＤ１００のタイトル名が「野鳥物語３」であれば、図４に示す発売情報テーブル４２Ａの一覧の中に無いが、図６に示す発売予定テーブル４２Ｂの一覧の中にある。この場合、制御部４１は、「野鳥物語３」の発売予定日も検索し、「2009/10/12」を取得する。逆に、例えばブルーレイプレーヤ２から送信されたＤＶＤ１００のタイトル名が「野鳥物語５」であれば、図４に示す発売情報テーブル４２Ａの一覧の中に無く、図６に示す発売予定テーブル４２Ｂの一覧の中にも無い。この場合、検索結果は、発見できなかったという結果になる。
【００６１】
そして、制御部４１は、Ｓ１１及びＳ２２の検索結果をＮＩＣ４０からブルーレイプレーヤ２に返信する（Ｓ１２）。
【００６２】
Ｓ４で判断した結果、装置本体２にセットされているＤＶＤ１００のタイトル名と同じタイトル名のブルーレイディスクが発売されていなければ、ブルーレイプレーヤ２の制御部２１は、以下の動作を実行する。
【００６３】
制御部２１は、検索結果から、装置本体２にセットされているＤＶＤ１００のタイトル名と同じタイトル名のブルーレイディスクが発売予定であるかどうかを判断する（Ｓ６）。
【００６４】
そして、発売予定であれば、制御部２１は、装置本体２にセットされているＤＶＤ１００のタイトル名と同じタイトル名のブルーレイディスクが発売予定である旨の発売予定メッセージと、その発売予定日と、をＴＶ３又は表示部２８で表示する（Ｓ５）。そして、制御部２１は、本処理を終了する。この発売予定メッセージは、例えば「同一タイトルのブルーレイディスクが近日発売されます。その発売予定日は、2009/10/12です。」である。この発売予定メッセージの通知により、ユーザは、同一タイトルのブルーレイディスクが発売予定であることを知る。
【００６５】
そのため、ユーザは、同一タイトルのブルーレイディスクが発売されているかどうか、又は発売予定であるかどうか、について知りたい場合、所持しているＤＶＤ１００をブルーレイプレーヤ２にセットするだけで良く、インターネットや雑誌等により調べなくとも済む。従って、ユーザの使い勝手を一層向上できる。
また、上記発売予定メッセージの通知により、既に所持しているＤＶＤ１００と同じコンテンツをＨＤ画像で鑑賞したいとユーザに想起させることもできる。よって、同一タイトルのブルーレイディスクに対するユーザの購買意欲を一層高めることもできる。従って、次世代メディアへの移行を一層促進することもできる。
【００６６】
一方、Ｓ６において発売予定でなければ、制御部２１は、本処理を終了する。
【００６７】
（第２変形例）
同一タイトルのブルーレイディスクが現時点で発売予定でない場合でも、後日発売されることもある。この場合にユーザに通知できるよう、発売監視テーブル２９Ａを設けても良い。具体的には、以下のように構成する。
【００６８】
図８は、記憶部２９に記録される発売監視テーブル２９Ａの内容を示す図である。Ｓ６において発売予定でない場合、制御部２１は、そのタイトル名を記憶部２９に記録しても良い。そして、制御部２１は、一定時間経過後に、そのタイトル名を記憶部２９から読取り、ＮＩＣ２０からＤＢサーバ４に送信する（Ｓ３）。例えばＤＶＤ１００のタイトル名が「野鳥物語５」であれば、図４に示す発売情報テーブル４２Ａの一覧の中に無く、図６に示す発売予定テーブル４２Ｂの一覧の中にも無い。そこで、制御部２１は、そのタイトル名「野鳥物語５」を記憶部２９に記録する。そして、制御部２１は、一定時間経過後、そのタイトル名「野鳥物語５」を記憶部２９から読取り、ＤＢサーバ４に送信する。一定時間は、例えば一週間である。一定時間は、発売情報テーブル４２Ａ及び発売予定テーブル４２Ｂの更新間隔に併せて予め定めるのが好ましい。
【００６９】
そして、一定時間経過後に、ＤＶＤ１００と同一タイトルのブルーレイディスクが発売されている場合、制御部２１は、Ｓ５において発売メッセージの表示を行う。一方、一定時間経過後に、ＤＶＤ１００と同一タイトルのブルーレイディスクが発売予定である場合、制御部２１は、Ｓ７において発売予定メッセージの表示を行う。
そして、この発売メッセージの通知により、ユーザは、同一タイトルのブルーレイディスクが発売中であることを知る。又は、この発売予定メッセージの通知により、ユーザは、同一タイトルのブルーレイディスクが発売予定であることを知る。
【００７０】
このように、同一タイトルのブルーレイディスクが現時点で発売予定でない場合であって後日発売される場合でも、同一タイトルのブルーレイディスクが発売されているかどうか、又は発売予定であるかどうか、についてユーザは知ることできる。そのため、ユーザは、インターネットや雑誌等により調べなくとも済む。従って、ユーザの使い勝手を一層向上できる。
また、上記発売メッセージ又は上記発売予定メッセージの通知により、既に所持しているＤＶＤ１００と同じコンテンツをＨＤ画像で鑑賞したいとユーザに想起させることもできる。よって、同一タイトルのブルーレイディスクに対するユーザの購買意欲を一層高めることもできる。従って、次世代メディアへの移行を一層促進することもできる。
【００７１】
なお、操作部２７に、上記一定時間の指定を受付ける指定キーを設けても良い。これにより、ユーザは、同一タイトルのブルーレイディスクが発売されているかどうか、又は発売予定であるかどうか、についてブルーレイプレーヤ２に調べさせるタイミングを、自分の使用方法に応じて指定できる。従って、ユーザの使い勝手を一層向上できる。また、次世代メディアへの移行を一層促進することもできる。
【図面の簡単な説明】
【００７２】
【図１】本発明の実施形態である発売情報通知システムのシステム構成図
【図２】発売情報通知システムに用いられるブルーレイプレーヤの主要な構成を示すブロック図
【図３】発売情報通知システムに用いられるＤＢサーバの主要な構成を示すブロック図
【図４】ハードディスク４２に記憶されている発売情報テーブル４２Ａの内容を示す図
【図５】本発明の実施形態である発売情報通知システムにおける、ブルーレイプレーヤ２とＤＢサーバ４における各制御部の動作を示すフローチャート
【図６】ハードディスク４２に記憶されている発売予定テーブル４２Ｂの内容を示す図
【図７】本発明の実施形態の変形例である発売情報通知システムにおける、ブルーレイプレーヤ２とＤＢサーバ４における各制御部の動作を示すフローチャート
【図８】記憶部２９に記録される発売監視テーブル２９Ａの内容を示す図
【符号の説明】
【００７３】
２−ブルーレイプレーヤ
３−テレビジョン
４−ＤＢサーバ
５−ネットワーク
２０−ＮＩＣ
２１−制御部
２２−ピックアップヘッド
２３−再生回路
２４−音声処理部
２６−画像合成部
２７−操作部
２７A−リモコン
２８−表示部
２９−記憶部
２９Ａ−発売監視テーブル
４０−ＮＩＣ
４１−制御部
４２−ハードディスク
４２Ａ−発売情報テーブル
４２Ｂ−発売予定テーブル
１００−ＤＶＤ
１０１−発売情報通知システム
【図１】
2009048716.tif 000003
【図２】
2009048716.tif 000004
【図３】
2009048716.tif 000005
【図４】
2009048716.tif 000006
【図５】
2009048716.tif 000007
【図６】
2009048716.tif 000008
【図７】
2009048716.tif 000009
【図８】
2009048716.tif 000010